(57)【特許請求の範囲】
【請求項１】
管体と、この管体の一端を閉塞する円板と、この円板の中心に形成されてなり、外部からの光線を上記管体内に入射させるピンホールと、上記管体の他端又は他端側中途部に位置されてなり、上記ピンホールから管体内に入射した光線が通過するとともに、観察者の眼底から反射した光線を結像させる凸レンズと、を備えてなるとともに、上記凸レンズは、上記ピンホール又は発光体に対して近接又は離間可能とされてなり、
観察者が、凸レンズと観察者の眼球との距離を適宜変えることにより、実像が結像する結像点を変え、眼球の角膜，眼房水，水晶体及び硝子体の何れかの断面について任意に観察する箇所を変えることができ、また、上記凸レンズをピンホールに対して近接又は離間させることにより、該凸レンズと発光体との距離が、眼球を観察するのに適した距離となるように調節することができることを特徴とする眼球観察器。
【請求項２】
前記管体の外部であって前記ピンホールの近傍には、該ピンホール，管体の内部及び前記凸レンズを介して観察者の眼球に入射する光線を発する発光体が固定されてなることを特徴とする請求項１記載の眼球観察器。
【請求項３】
管体と、この管体の一端側内部又は一端側外部に配置されてなる発光体と、
上記管体の他端又は他端側中途部に位置されてなり、上記発光体から入射した管体内に光線が通過するとともに、観察者の眼底から反射した光を結像させる凸レンズと、を備えてなるとともに、上記凸レンズは、上記発光体に対して近接又は離間可能とされてなり、
観察者が、凸レンズと観察者の眼球との距離を適宜変えることにより、実像が結像する結像点を変え、眼球の角膜，眼房水，水晶体及び硝子体の何れかの断面について任意に観察する箇所を変えることができ、また、上記凸レンズを発光体に対して近接又は離間させることにより、該凸レンズと発光体との距離が、眼球を観察するのに適した距離となるように調節することができることを特徴とする眼球観察器。
【請求項４】
前記管体の他端近傍には、該管体に対して摺動可能とされてなる接眼筒が取り付けられてなることを特徴とする請求項１，２又は３記載の何れかの眼球観察器。
【請求項５】
前記管体の内部であって該管体の一端の近傍には、前記ピンホールから該管体の内部に入射する光線を前記凸レンズへ集光する他の凸レンズが位置されてなることを特徴とする請求項１，２，３又は４記載の何れかの眼球観察器。
【請求項６】
前記管体の一端の近傍には、前記ピンホールから該管体の内部へ入射する光線を均一化するフィルターが固定されてなることを特徴とする請求項１，２，３，４又は５記載の何れかの眼球観察器。
【発明の詳細な説明】
【技術分野】
【０００１】
本発明は、白内障，飛蚊症或いは硝子体混濁等による眼球内の濁りの有無や状態について、観察者が自己の眼球内を観察するための眼球観察器である。
【背景技術】
【０００２】
白内障は、眼球内の水晶体に白い濁りが生じる病気であり、人体の老化現象に伴って生じることが多い。白内障の発症によって眼球の水晶体に濁りが生じた場合には、発症者の視力が低下し、日常生活に支障が生ずるものとなる。この白内障が発症した場合は、濁った水晶体を回復させる薬は存在しない為、手術により、白内障が生じて濁った水晶体を取り除き、プラスチック製の眼内レンズを入れることにより、ほぼ正常な視力を回復することが可能である。しかし、白内障により水晶体が濁ることの進行を遅らせることができる薬は存在しており、早期に白内障の発症を知ることができればこの薬の服用により手術をする必要性がなくなることが多いため、白内障の発症を容易に知ることが可能な手段が望まれている。従来は、このような白内障の発症等を知るために、眼球内を観察する機器として、細隙燈という機器が用いられていたが、この細隙燈は眼科医等の他人が眼球内を観察する機器であることから、白内障の疑いがある者が自身で気軽に観察することができない。このため、自身が観察者となって自己の眼球を観察し、容易に自分自身の眼球内の水晶体の状態を知るために、ピンホールを介して光源を観察することにより、水晶体内の濁りの有無を容易に観察することができる機器が用いられている（特許文献１参照）。なお、上述の白内障は、眼球内の水晶体内に濁りが生じるものであるが、他の眼球内に濁りが生じる病気としては、飛蚊症や硝子体混濁等もある。
【特許文献１】実公平５−４５２８３号公報
【発明の開示】
【発明が解決しようとする課題】
【０００３】
しかしながら、上記の特許文献１に見られるような従来の機器では、眼球内の濁りがある場合に、ピンホールから入る光によりできた濁りの影が眼底の網膜上に投影されることによってこの影を濁りとして網膜が認識して観察する構成であることから、眼球内の濁りの有無は判るものの、この濁りの詳細な形状を知ることができない。また、ピンホールと網膜とを結ぶ直線上に濁りが位置すること、すなわち、眼球内に濁りが位置していることは判るものの、その濁りが眼球内の何処に生じたのか（例えば、水晶体内に生じたのか、或いは、硝子体内に生じたのか）については、知ることができない。
【０００４】
そこで、本発明は、上述した従来の眼球観察器が有する課題を解決するために提案されたものであって、眼球内の何処に濁りが生じたかを知ることができるとともに、その濁りをより鮮明に観察することができる新規な眼球観察器を提供することを目的とするものである。
【課題を解決するための手段】
【０００５】
本発明は、上述した課題を達成するために提案されたものであって、第１の発明（請求項１記載の発明）は、管体と、この管体の一端を閉塞する円板と、この円板の中心に形成されてなり、外部からの光線を上記管体内に入射させるピンホールと、上記管体の他端又は他端側中途部に位置されてなり、上記ピンホールから管体内に入射した光線が通過するとともに、観察者の眼底から反射した光線を結像させる凸レンズと、を備えてなるとともに、上記凸レンズは、上記ピンホールに対して近接又は離間可能とされてなり、観察者が、凸レンズと観察者の眼球との距離を適宜変えることにより、実像が結像する結像点を変え、眼球の角膜，眼房水，水晶体及び硝子体の何れかの断面について任意に観察する箇所を変えることができ、また、上記凸レンズをピンホールに対して近接又は離間させることにより、該凸レンズと発光体との距離が、眼球を観察するのに適した距離となるように調節することができることを特徴とするものである。
【０００６】
なお、この第１の発明の眼球観察器は、管体を備えるものであるが、この管体は、ピンホールから入射する光が、内部で均等に一端から他端へと到達し、凸レンズに入射するべきであることから、特に断面形状が円形とされた円筒体であることが望ましいが、断面形状が四角形状とされた角管であっても良い。また、この眼球観察器を使用する環境等の条件に応じ、ピンホール，管体及び凸レンズを介して観察者の眼球内で反射するのに十分な量の光を管体内に入れられるように、上記のピンホールの径を適宜変更することができるものとされても良い。すなわち、ピンホールの径の大きさと、観察者が観察することができる眼球内の濁りの鮮明さとは、互いに反比例の関係にあることから、この眼球観察器により自己の眼球を観察する観察者が、自己が観察するのに適当と思われる状態に調節可能とするために、上記ピンホールの径を変更可能としても良い。このピンホールの径を変更する手段としてはどのような手段であっても良く、カメラの絞りのようにピンホールが形成された円板の作動によってピンホールの径が変更される機構を備えるものであっても良く、或いは、予めそれぞれ異なる径のピンホールが形成されて管体に着脱可能とされた円板を複数用意し、これらの円板から適宜必要な円板を選択して管体に取り付けられるものとしても良い。また、ピンホールの直前には、該ピンホールから管体内に入射する光線を、観察者が自己の眼球を観察するのに適切な強度に弱めるために、透光性の素材からなるフィルターを取付可能とされても良い。また、凸レンズは、管体に対して、ピンホールが形成された円板が取り付けられた一端とは反対側の他端の側に位置するものであれば良く、この凸レンズの位置は必ずしも端部である必要は無く、管体内に取り付けられたものとしても良い。また、この眼球観察器とその備える管体や凸レンズ等の大きさは、ピンホール，凸レンズ及び観察者の眼球を介して光線が適宜入射し、観察者の眼底から反射した光線が結像されるように構成されてなるものであれば、適宜任意の大きさとされてよい。なお、これら管体及び円板は、外部からの光線を内部に透過させることがないものであれば、金属，プラスチック，厚紙或いは段ボール等のように、どのような素材からなるものであっても良い。また、後述するように、この第１の発明の眼球観察器を用いる際には、観察者が管体の位置及び方向を手で保持した上で凸レンズより該管体内を観察するものであるが、該管体を他の部材により位置及び方向を固定し、観察者は該管体の保持に自己の手を用いる必要が無いものとしてもよい。すなわち、床上又は卓上に安定して配置された台座に管体を保持させ、観察者は該管体の位置及び方向の微調整にのみ自己の手を用いるものとし、観察者が該管体から手を離した場合には、観察者が微調整した状態を継続しつづけるものとしても良い。また、この第１の発明の眼球観察器において凸レンズを上記ピンホール又は発光体に対して近接又は離間可能とする構成としては、管体を全長が不変とした上で凸レンズを移動可能としても良く、或いは、管体を伸縮して全長が変わるものとするとともに該管体の他端に凸レンズが固定され、該管体の全長が変わることにより、該凸レンズを移動可能としても良い。特に、管体を伸縮して全長が代わるものとする構成の一例としては、該管体を、ピンホールが形成されてなる円板又は発光体が配置されてなる第一の管体と、端部に凸レンズを固定してなる第二の管体と、の二つから構成されてなるものとし、これらの何れか一方が他方の内部に挿入されて互いに摺動可能とされてなるものとしても良い。
【０００７】
また、第２の発明（請求項２記載の発明）は、上記第１の発明において、前記管体の外部であって前記ピンホールの近傍には、該ピンホール，管体の内部及び前記凸レンズを介して観察者の眼球に入射する光線を発する発光体が固定されてなることを特徴とするものである。
【０００８】
なお、この第２の発明の眼球観察器は、管体の一端側の外部に発光体を固定されてなるものであるが、この発光体は、ピンホール，管体及び凸レンズを介した上で観察者の眼球内で反射するのに十分な量の光を発するものであれば、どのようにして発光するものであっても良く、例えば電球やＬＥＤ等を用いることができる。特に、電球やＬＥＤを用いる場合には、電源を操作可能として、観察者が観察しやすい光量を発するように電圧の印加量を調整可能なものとしてもよい。
【０００９】
また、第３の発明（請求項３記載の発明）は、管体と、この管体の一端側内部又は一端側外部に配置されてなる発光体と、上記管体の他端又は他端側中途部に位置されてなり、上記発光体から入射した管体内に光線が通過するとともに、観察者の眼底から反射した光を結像させる凸レンズと、を備えてなるとともに、上記凸レンズは、上記発光体に対して近接又は離間可能とされてなり、観察者が、凸レンズと観察者の眼球との距離を適宜変えることにより、実像が結像する結像点を変え、眼球の角膜，眼房水，水晶体及び硝子体の何れかの断面について任意に観察する箇所を変えることができ、また、上記凸レンズを発光体に対して近接又は離間させることにより、該凸レンズと発光体との距離が、眼球を観察するのに適した距離となるように調節することができることを特徴とするものである。
【００１０】
なお、この第３の発明の眼球観察器も、上記第１の発明の眼球観察器と同様に、管体を備えるものであるが、この管体は、一端から入射する光が、内部で均等に一端から他端へと到達し、凸レンズに入射するべきであることから、特に断面形状が円形とされた円筒体であることが望ましいが、断面形状が四角形状とされた角管であっても良い。また、管体の一端であって発光体よりも他端側中途に位置する箇所には、管体内に入射する光線を、観察者が自己の眼球を観察するのに適切な強度に弱めるために、透光性の素材からなるフィルターを取付可能とされても良い。また、凸レンズは、管体の発光体が配置されてなる一端とは反対側の他端の側に取り付けられてなるものであれば良く、この凸レンズの位置は必ずしも端部である必要は無く、管体内に取り付けられたものとしても良い。また、この眼球観察器とその備える管体や凸レンズ等の大きさは、発光体，凸レンズ及び観察者の眼球を介して光線が適宜入射し、観察者の眼底から反射した光線が結像されるように構成されてなるものであれば、適宜任意の大きさとされてよい。なお、これら管体及び円板は、外部からの光線を内部に透過させることがないものであれば、金属，プラスチック，厚紙或いは段ボール等のように、どのような素材からなるものであっても良い。また、後述するように、この第３の発明の眼球観察器を用いる際には、観察者が管体の位置及び方向を手で保持した上で凸レンズより該管体内を観察するものであるが、該管体を他の部材により位置及び方向を固定し、観察者は該管体の保持に自己の手を用いる必要が無いものとしてもよい。すなわち、床上又は卓上に安定して配置された台座に管体を保持させ、観察者は該管体の位置及び方向の微調整にのみ自己の手を用いるものとし、観察者が該管体から手を離した場合には、観察者が微調整した状態を継続しつづけるものとしても良い。
【００１１】
また、第４の発明（請求項４記載の発明）は、上記第１，第２又は第３の発明において、前記管体の他端近傍には、該管体に対して摺動可能とされてなる接眼筒が取り付けられてなることを特徴とするものである。
【００１２】
なお、この第４の発明の眼球観察器に取り付けられる接眼筒は、管体の他端近傍に取り付けられるものであって、観察者が凸レンズを介してピンホール又は発光体を見る際に、該観察者はこの接眼筒を該観察者の眼球近傍が接するようにする。この接眼筒は、凸レンズと観察者の眼球との距離を適切に規定するものであるが、管体又は接眼筒に目盛りを記し、該目盛りを基準とすることにより、凸レンズと観察者の眼球との距離をより精密に規定するものとしても良い。また、この接眼筒を管体に対して摺動する際には、これら接眼筒及び管体それぞれにネジ溝を形成することにより、いずれか一方を捩じることにより互いに摺動する構成としても良い。
【００１３】
【００１４】
【００１５】
また、第５の発明（請求項５記載の発明）は、上記第１，第２，第３又は第４の発明において、前記管体の内部であって該管体の一端の近傍には、前記ピンホール又は発光体から該管体の内部に入射する光線を前記凸レンズへ集光する他の凸レンズが位置されてなることを特徴とするものである。
【００１６】
なお、この第５の発明の眼球観察器を構成する他の凸レンズは、上記ピンホール又は発光体と凸レンズが作る直線上に位置するものであって、ピンホール又は発光体から管体の内部に入射する光線を凸レンズへ集光するものである。
【００１７】
また、第６の発明（請求項６記載の発明）は、上記第１，第２，第３，第４又は第５の発明において、前記管体の一端の近傍には、前記ピンホール又は発光体から該管体の内部へ入射する光線を均一化するフィルターが固定されてなることを特徴とするものである。
【００１８】
なお、この第６の発明の眼球観察器を構成するフィルターとしては、高い透明度を有して一定の率で光線を一方の面から他方の面へ透過するとともに、この一方の面より入射する光線を他方の面から均一化した上で透過する性質を有する物体を用いることが考えられ、すりガラスや乳白板等が用いられる。
【発明の効果】
【００１９】
上記第１の発明（請求項１記載の発明）では、観察者がこの眼球観察器を用いて、外部からピンホールを介して管体内に入射する光線を凸レンズにより観察することによって、該観察者は自己の眼球内にできた濁りを観察することができる。すなわち、観察者が、この第１の発明に係る眼球観察器を、ピンホールを適切に発光体に指向させて保持することにより、ピンホールが形成された円板が位置する管体の一端側から入射した光線は、該管体の他端側に位置する凸レンズを透過して、さらに、観察者の眼球内に入射する。この眼球内に入射する光線は、観察者の眼球を構成する角膜，眼房水，水晶体及び硝子体を透過し、該眼球の最も奥に位置して網膜が形成されてなる眼底において反射し、この反射した光線は、さらに、該観察者の眼球の硝子体，水晶体，眼房水及び角膜を透過し、該眼球の前端より飛び出し、上記凸レンズを透過し、再度上記管体内に入射する。すなわち、ピンホールから入射した光線は、この眼球観察器を用いる観察者の眼球内に、該眼球を構成する虹彩程度に広がりつつ入射し、この入射した光線は、上記の通り、眼球の眼底において反射し、再度硝子体，水晶体，眼房水及び角膜を透過するとともに凸レンズを透過することにより、該管体内において、該硝子体，水晶体，眼房水又は角膜の何れかのものについての任意の箇所についての実像を結像する。したがって、観察者は、この凸レンズにより作られた実像を観察することにより、自己の眼球を構成する硝子体，水晶体，眼房水又は角膜の何れかに付いての任意の箇所の状態を観察することができ、特にこれら硝子体，水晶体，眼房水又は角膜に濁りが有る場合には、この濁りの状態を観察することができる。また、凸レンズと観察者の眼球との間の距離に応じて、上記の実像が結像する結像点が変わることから、観察者が、凸レンズと観察者の眼球との距離を適宜変えることにより、観察者は、眼球の角膜，眼房水，水晶体及び硝子体の何れかの断面について任意に観察する箇所を変えることができる。すなわち、上記の従来の眼球観察器によれば、眼球内の濁りが陰となって見えるのに対し、この第１の発明によれば、眼球内の濁りについて、任意の箇所についての断面について、より鮮明に形状を観察することも可能である。すなわち、上記の従来の眼球観察器により観察した場合には、眼球内の濁りが陰となって見えることから、眼球内に濁りがあることは判るものの、その濁りが眼球内のどの箇所にあるかは不明であったが、この第１の発明によれば、眼球内の濁りが眼球内のどの箇所にあるかについても特定することができる。なお、この第１の発明の眼球観察器について、観察者が自己の眼球を観察する際に、自己の手によりピンホールを適切に発光体に指向させて保持するものとして述べたが、観察者の手による事無く他の部材により保持をするものとした場合には、より安定した状態で自己の眼球を観察することができる。すなわち、人間が物体を正確に静止した状態で保持することは非常に難しく、凸レンズと観察者の眼球との位置関係にはずれが生じやすいが、眼球観察器を他の部材により保持するものとした場合には、少なくとも観察者自身の手の微小な震えにより観察が妨げられることは防ぐことができる。
【００２０】
上記第２の発明（請求項２記載の発明）では、上記第１の発明の眼球観察器に比べ、より安定した状態で確実に自己の眼球の観察をすることができる。すなわち、上述の通り、上記第１の発明の眼球観察器を用いる場合には、該眼球観察器のピンホールを適切に発光体に指向させる必要があるが、この第２の発明によれば、管体の外部であってピンホールの近傍には、該ピンホール，管体の内部及び前記凸レンズを介して観察者の眼球に入射する光線を発する発光体が固定されてなることから、観察者はこの眼球観察器を発光体に指向する事無く、自己の眼球を観察することができ、また、この眼球観察器の管体内に入射する光線の強さが一定で安定したものとなることから、観察により見ることができる眼球内の濁りについて、同一の条件下で観察したものとすることができ、安定した観察結果を得ることができる。
【００２１】
上記第３の発明（請求項３記載の発明）では、観察者がこの眼球観察器を用いて、発光体から発せられて管体内に入射する光線を凸レンズにより観察することによって、該観察者は自己の眼球内にできた濁りを観察することができる。すなわち、観察者が、この第３の発明に係る眼球観察器を適切に保持することにより、発光体が位置する管体の一端側から入射した光線は、該管体の他端側に位置する凸レンズを透過して、さらに、観察者の眼球内に入射する。この眼球内に入射する光線は、観察者の眼球を構成する角膜，眼房水，水晶体及び硝子体を透過し、該眼球の最も奥に位置して網膜が形成されてなる眼底において反射し、この反射した光線は、さらに、該観察者の眼球の硝子体，水晶体，眼房水及び角膜を透過し、該眼球の前端より飛び出し、上記凸レンズを透過し、再度上記管体内に入射する。すなわち、発光体から入射した光線は、この眼球観察器を用いる観察者の眼球内に、該眼球を構成する虹彩程度に広がりつつ入射し、この入射した光線は、上記の通り、眼球の眼底において反射し、再度硝子体，水晶体，眼房水及び角膜を透過するとともに凸レンズを透過することにより、該管体内において、該硝子体，水晶体，眼房水又は角膜の何れかのものについての任意の箇所についての実像を結像する。したがって、観察者は、この凸レンズにより作られた実像を観察することにより、自己の眼球の内部である硝子体，水晶体，眼房水又は角膜の何れかに付いての任意の箇所の状態を観察することができ、特にこれら硝子体，水晶体，眼房水又は角膜に濁りが有る場合には、この濁りの状態を観察することができる。また、凸レンズと観察者の眼球との間の距離に応じて、上記の実像が結像する結像点が変わることから、観察者が、凸レンズと観察者の眼球との距離を適宜変えることにより、観察者は、眼球の角膜，眼房水，水晶体及び硝子体の何れかの断面について任意に観察する箇所を変えることができる。すなわち、上記の従来の眼球観察器によれば、眼球内の濁りが陰となって見えるのに対し、この第３の発明によれば、眼球内の濁りについて、任意の箇所についての断面について、より鮮明に形状を観察することも可能である。すなわち、上記の従来の眼球観察器により観察した場合には、眼球内の濁りが陰となって見えることから、眼球内に濁りがあることは判るものの、その濁りが眼球内のどの箇所にあるかは不明であったが、この第３の発明によれば、眼球内の濁りが眼球内のどの箇所にあるかについても特定することができる。なお、この第３の発明の眼球観察器について、観察者が自己の眼球を観察する際に、自己の手によりピンホールを適切に発光体に指向させて保持するものとして述べたが、観察者の手による事無く他の部材により保持をするものとした場合には、より安定した状態で自己の眼球を観察することができる。すなわち、人間が物体を正確に静止した状態で保持することは非常に難しく、凸レンズと観察者の眼球との位置関係にはずれが生じやすいが、眼球観察器を他の部材により保持するものとした場合には、少なくとも観察者自身の手の微小な震えにより観察が妨げられることは防ぐことができる。
【００２２】
上記第４の発明（請求項４記載の発明）では、管体の他端近傍に、観察者が眼球の付近を接する接眼筒が取り付けられており、この接眼筒は、該管体の他端近傍で、該管体に対して摺動可能とされてなる。このため、観察者がこの眼球観察器により自己の眼球を観察する際に、該眼球観察器を支持するのは該観察者の両手のみならず、該観察者が該眼球観察器を自身の眼球付近に押さえるようにしつつ支持することにより、該観察者はより安定した状態を維持しつつ自己の眼球を観察することができる。また、接眼筒が取り付けられた眼球観察器により眼球を観察する場合には、該接眼筒を該眼球観察器に対して相対的に一定箇所に維持することにより、該眼球観察器を構成する凸レンズと、該観察者の眼球との距離を、一定に保つことが容易にでき、特に、眼球観察器及び接眼筒それぞれに目盛りを形成した場合には、該眼球観察器を構成する凸レンズと、該観察者の眼球との距離を容易に計測することができ、観察者の眼球のどの箇所を観察中であるか（角膜，眼房水，水晶体或いは硝子体の何れを観察中であるか）を知ることの助けとなる。
【００２３】
【００２４】
上記第５の発明（請求項５記載の発明）では、眼球観察器に上記凸レンズへ集光する他の凸レンズが位置されてなるものであることから、上記ピンホール又は発光体から発する光が弱い場合であっても、観察者が自己の眼球を観察するために必要な光を得ることができる。
【００２５】
上記第６の発明（請求項６記載の発明）では、前記管体の一端の近傍には、前記ピンホール又は発光体から該管体の内部へ入射する光線を均一化するフィルターが固定されてなることから、上記ピンホール又は発光体から発する光が強い場合であっても、観察者が自己の眼球を観察するために適当なように光を弱めることができるとともに、偏光のように、この光に偏りがある場合にも、観察者は視界全体に均等に光に均一化した状態で観察することができる。
【発明を実施するための最良の形態】
【００２６】
以下、本発明に係る眼球観察器の最良の形態を、図面を参照しながら詳細に説明する。
【００２７】
この眼球観察器１は、図１及び図２に示すように、円筒体２，円板３，円環板４及び凸レンズ５とを備えてなるものである。この円筒体２は、厚紙を丸めて筒状に整形したものであって、全長は約３０センチメートル，直径は約４センチメートルの大きさとされている。なお、この円筒体２は、本発明を構成する管体である。また、円板３は、厚紙により作られたものであって、直径は約４センチメートルとなされ、周縁が上記円筒体２の内面に接着され、該円筒体２の一端を閉塞している。このため、該円筒体２の一端側からは、該円板３の中心に形成された後述するピンホール６から入射する光線以外の外部の光の入射を完全に遮蔽している。また、円環板４は、厚紙により環状に作られたものであって、上記円板３と同様に外径が約４センチメートルで、また、内径は約１センチメートルの大きさとされている。この円環板４は、外周縁は上記円筒体２の内面に接着されており、該円筒体２の他端を閉塞するものとされ、該円筒体２の他端側からは、該円環板４に形成されて上記凸レンズ５が固定される開口（符号は省略する。）から入射する光線以外の外部の光の入射を完全に遮蔽するものとなっている。また、凸レンズ５は、ガラス製のものであって、直径が約１センチメートルとされている。この凸レンズ５は、上記円環板４に形成された開口（符号は省略する。）内に完全に嵌められて固定されている。なお、この凸レンズ５の焦点距離は約２センチメートルとされている。また、上記円板３の中心には、直径約０．５ミリメートルの開口であるピンホール６が形成されている。なお、この眼球観察器１の断面図を図３に示すが、これら図１及び図３においては、ピンホール６は、眼球観察器１全体に対する比率よりもやや大きめに図示している。
【００２８】
本発明に係る眼球観察器１は、上記のような構成からなるものであるが、次に、観察者がこの眼球観察器１により自己の眼球を観察する方法について説明する。先ず、観察者はこの眼球観察器１を、上記円筒体２の一端側を、近くに位置する図示しない電球等の発光体に指向させて保持するとともに、図３に示すように、該円筒体２の他端側の凸レンズ５近傍に自己の眼球Ｅを位置させる。そして、上記凸レンズ５を介して、ピンホール６から円筒体２内に入射する光線を観察する。このように、観察者が、眼球観察器１を、ピンホール６を適切に発光体に指向させて保持することにより、ピンホール６から入射した光線は、上記凸レンズ５を透過した上で、観察者の眼球Ｅ内に入射する。この眼球Ｅ内に入射する光線は、観察者の眼球を構成する角膜，眼房水，水晶体及び硝子体を透過し、該眼球Ｅの最も奥に位置して網膜が形成されてなる眼底において反射し、この反射した光線は、さらに、該観察者の眼球Ｅの硝子体，水晶体，眼房水及び角膜を透過し、該眼球Ｅの前端より飛び出し、上記凸レンズ５を透過し、再度該円筒体２内に入射する。すなわち、ピンホール６から入射した光線は、上記眼球Ｅの眼底において反射し、再度硝子体，水晶体，眼房水及び角膜を透過するとともに凸レンズ５を透過することにより、上記円筒体２内において、該硝子体，水晶体，眼房水又は角膜の何れかの部分ついての実像を結像する。したがって、観察者は、この凸レンズ５により作られた実像を観察することにより、自己の眼球Ｅの内部である硝子体，水晶体，眼房水又は角膜の状態を観察することができ、特にこれら硝子体，水晶体，眼房水又は角膜に濁りが有る場合には、この濁りの状態に付いて知ることができる。また、上記凸レンズ５と観察者の眼球Ｅとの距離に応じて上記の実像が結像する結像点が変わることから、観察者が凸レンズ５と観察者の眼球との距離を適宜変えることにより、観察者は眼球Ｅの角膜，眼房水，水晶体及び硝子体の何れかの断面について任意に観察する箇所を変えることができる。
【００２９】
すなわち、観察者が自己の眼球Ｅを上記凸レンズ５に近接した状態とした場合には、観察者は自己の眼球Ｅの後方側、すなわち、眼球Ｅを構成する角膜，眼房水，水晶体或いは硝子体において、該凸レンズ５に近い眼底（網膜）側での濁りの状態を観察することができる。また、逆に、観察者が、上記凸レンズ５から徐々に眼球Ｅを離した場合には、観察者は該凸レンズ５と眼球Ｅとの距離に応じて、徐々に自己の眼球Ｅの前方側、すなわち、眼球Ｅを構成する角膜，眼房水，水晶体或いは硝子体において、該凸レンズ５から近い角膜側での濁りの状態を観察することができる。つまり、図３にあるように、眼球Ｅと上記凸レンズ５とが近接した状態（眼球Ｅと上記凸レンズ５とが近接した距離Ｌである状態）であれば、眼球の断面について詳細に示す図４のα線の断面に位置する眼底（網膜）Ｅ１に近い硝子体Ｅ２での濁りを観察することができ、観察者が、図３に示す状態から図５に示す状態のように、眼球Ｅを該凸レンズ５から離された状態になるにつれて（眼球Ｅと上記凸レンズ５とが上記距離Ｌより徐々に大きくされて距離Ｌ´となるにつれて）、順にβ線の断面に位置する眼底（網膜）Ｅ１から離れた硝子体Ｅ２，γ線の断面に位置する水晶体Ｅ３，δ線の断面に位置する眼房水Ｅ４，或いはε線の断面に位置する角膜Ｅ５での濁りの状態を観察することができる。なお、一般的な成人の眼球の平均直径は、２３ミリメートルから２４ミリメートルであるとされ、この眼球観察器１で用いる凸レンズ５の焦点距離は２０ミリメートルとしており、観察者は眼球Ｅの網膜において該凸レンズ５により作られた像を見ることから、観察者は焦点距離よりも外から該像を観察することとなり、この眼球観察器１により自己の眼球Ｅを観察する観察者は、常に凸レンズ５により作られた実像を観察することとなり、このため、眼球Ｅ内に生じた濁りを鮮明に観察することができる。また、観察者が観察した濁りが、自己の眼球内の何処に位置するものであるかについて知りたい場合には、上述の眼球の平均直径，上述の凸レンズ５の焦点距離及び該観察者の眼球Ｅと凸レンズ５との距離等を数値に基づいて計算することにより、いま見ている像が、眼球Ｅの先端から眼底側へ何センチメートルの位置の断面の像である、というように知ることができる。なお、この眼球観察器１により自己の眼球を観察する場合に、眼球内に濁りが無い観察者、又は、他の箇所には濁りがあるものの濁りが無い箇所を観察中の観察者には、図６の（Ａ）に示すように視界内に何ら濁りを観察することができないが、眼球内に濁りが有ってその濁りが生じている箇所を観察中の観察者には、図６の（Ｂ）に示すように視界内に濁りＭを観察することができる。また、詳細については省略するが、観察者が上記凸レンズ５により自己の眼球Ｅを観察する際に、適切にピンホール６を発光体に指向したにもかかわらず、光が暗くて十分に眼球Ｅを観察することができない場合には、より明るい発光体を用いる以外にも、それぞれ異なる径のピンホール６が形成された複数の円板３を用意して眼球観察器１の円板３を着脱可能とするとともに、任意の円板３を取り付け可能なものとしても良い。すなわち、径が大きいピンホールが形成された円板３を取り付けた場合には、観察者は明るい状態（但し、鮮明さにおいては劣る状態）で濁りを観察することが可能となり、逆に、径が小さいピンホールが形成された円板３を取り付けた場合には、観察者は暗い状態（但し、鮮明さにおいては優れた状態）で濁りを観察することが可能となる。
【００３０】
本発明に係る眼球観察器１の最良の実施の形態について上記の通り説明したが、この眼球観察器としては、他の形態に係るものとしても良い。すなわち、図７に示す眼球観察器１１のように、円筒体１２，円板１３，接眼筒１４，電球１５及び図示しない円環板と凸レンズとを備えてなるものである。この眼球観察器１１を構成する円筒体１２，円板１３，図示しない円環板と凸レンズ及び該円板１３に形成されたピンホール１６は、上記の眼球観察器１１を構成する円筒体２，円板３，円環板４，凸レンズ５及びピンホール６と同じ構成からなるものであり、一端に円板が位置する円筒体１２の他端には、円環板及び凸レンズが上記眼球観察器１と同様に位置するものであることから、説明は省略する。また、接眼筒１４は、上記円筒体１２の外径より僅かに大きい内径を有する円筒体であって、全長は約１０センチメートル程度である。この接眼筒１４は、上記円筒体２と同様に厚紙により作られたものであり、中の開口内には上記円筒体１２の他端側が挿入されている。また、電球１５は、上記円筒体１２の一端側に取付片１５ａを介して固定されており、特に該電球１５は上記ピンホール１６の近傍に位置するものとされている。なお、上記電球１５の電源コード１５ｂは、図示を省略した電源及びスイッチに接続されており、この眼球観察器１１を使用する観察者は、該スイッチを操作することにより、該電球１５の点灯及び消灯をすることができる。
【００３１】
本発明に係る眼球観察器１１は、上記のような構成からなるものであるが、観察者は、この眼球観察器１１を上記眼球観察器１とほぼ同様な方法により自己の眼球を観察することができるが、特にこの眼球観察器１１では、該眼球観察器１とは異なり、ピンホール１６を発光体に指向する必要が無い。すなわち、観察者はこの眼球観察器１１により自己の眼球を観察する場合には、上記電球１５を発光させるためにスイッチを入れ、その後に凸レンズを介して、該電球１５から発してピンホール１６から円筒体内１２内に入射する光線を観察する。この場合にも、観察者の眼球Ｅ内には上記電球１５から発した光線が入射し、上記眼球観察器１の場合と同様に、該観察者は自己の眼球を観察することができる。なお、上記眼球観察器１は、観察者が円筒体２を両手のみで支持しつつ自己の眼球を観察しながら凸レンズ５と自己の眼球Ｅとの距離を適切にする必要があるが、該凸レンズ５と自己の眼球Ｅとの距離を適切なものとしつつ一定に保持することは難しく、該距離も大まかなものとなるのに対し、この眼球観察器１１では、図示しない凸レンズと自己の眼球Ｅとの距離を適切なものとしつつ保持することが容易であり、該距離もより正確なものとすることができる。すなわち、円筒体１２は接眼筒１４内に挿入されてなり該円筒体１２と接眼筒１４とは互いに摺動可能であり、円筒体１２の他端から接眼筒１４の端部が突出した長さは任意に定めることができる。このため、この円筒体１２の他端から接眼筒１４の端部が突出した長さを適切なものとした後に、観察者は、円筒体１４の端部を自己の眼球Ｅの上から僅かに押圧しつつ、両手で円筒体１２を支持することにより、単に両手で円筒体を支持した場合に比べ、より安定した状態で自己の眼球Ｅを観察することができる。なお、観察者が自己の眼球Ｅをより適切な明るさにより観察することができるように、上記電球１５の明るさを適宜変更可能とするボリュームスイッチを取り付けても良い。また、詳細な説明は省略するが、凸レンズと接眼筒１４の他端との距離を正確かつ容易に測るために、円筒体１２及び／又は接眼筒１４に定規のように目盛りを形成しても良い。さらに、このように目盛りを形成した場合には、該目盛りに対応して、上記００２８において述べた観察者がいま観察している箇所が自己の眼球内のどの部分であるかについて記載を付するものとしても良い。また、円筒体１２及び接眼筒１４それぞれに互いに対応するネジ溝を形成し、これらが係合することにより円筒体１２に対して接眼筒１４が前進又は後進するものとしても良い。
【００３２】
さらに、本発明に係る眼球観察器としては、上記の眼球観察器１，１１以外の他の形態に係るものとしても良い。すなわち、図８及び図９に示す眼球観察器２１のように、円筒体２２，内筒２３，円環板２４，凸レンズ２５及び電球２６とを備えてなるものである。この眼球観察器２１を構成する円筒体２２は、上記の眼球観察器１を構成する円筒体２と同じ構成からなるものであることから、説明は省略する。また、内筒２３は、上記円筒体１２の外形より僅かに小さい内径を有する円筒体であって、全長は約１０センチメートル程度である。この接眼筒１４は、上記円筒体２と同様に厚紙により作られたものであり、上記円筒体１２の他端側の開口内に挿入されている。また、円環板２４は、上記円環板４と同様なものであって、厚紙により環状に作られたものであって、外径が約４センチメートルで、また、内径は約２センチメートルの大きさとされている。この円環板２４は、外周縁は上記内筒２３の内面と密接し、該内筒２３の他端を閉塞するものとされ、該内筒２３の他端側からは、該円環板２４に形成されて上記凸レンズ２５が固定される開口（符号は省略する。）から入射する光線以外の外部の光は完全に遮蔽するものとなっている。なお、この眼球観察器２１においては、円筒体２２と内筒２３とを合わせて、本発明を構成する管体である。このため、この眼球観察器２１の全長は伸縮可能とされてなり、この全長の伸縮に伴って、凸レンズ２５は電球２６と近接又は離間可能とされてなる。また、電球２６は、上記の眼球観察器１１の電球１５と同様なものであって、上記円筒体２２の一端側に取付片２６ａを介して固定されており、特に該電球２６は上記円筒体２２の一端側開口の近傍に位置するものとされている。なお、上記電球２６の電源コード２６ｂは、図示を省略した電源及びスイッチに接続されており、この眼球観察器２１を使用する観察者は、該スイッチを操作することにより、該電球２６の点灯及び消灯をすることができる。
【００３３】
本発明に係る眼球観察器２１は、上記のような構成からなるものであるが、観察者は、この眼球観察器２１を上記眼球観察器１，１１とほぼ同様な方法により自己の眼球を観察することができる。すなわち、観察者はこの眼球観察器１１により自己の眼球を観察する場合には、上記電球２６を発光させるためにスイッチを入れ、その後に凸レンズ２５を介して、該電球２６から発して円筒体内２２内に入射する光線を観察する。この場合にも、観察者の眼球Ｅ内には上記電球２６から発した光線が入射し、上記眼球観察器１，１１の場合と同様に、該観察者は自己の眼球を観察することができる。なお、この眼球観察器２１では、上記の眼球観察器１，１１とは異なり、円筒体２２の一端に円板及びピンホールが位置しない構成とされているが、これは、電球２６（特に電球２６内で発光するフィラメントの箇所）が点光源として扱うことができる程度に小さいものであるときに、特に有効に眼球Ｅの観察をすることができる。また、この眼球観察器２１では、観察者が円筒体２２及び内筒２３をそれぞれ両手で支持しつつ自己の眼球を観察するものであり、円筒体２２に対して内筒２３を前後に摺動することができる。このため、この眼球観察器２１を用いる場合には、観察者は、凸レンズ２５と電球２６との距離が、特に眼球Ｅを観察するのに適した距離となるように調節することができると共に、円筒体２２と観察者の眼球Ｅの位置を一定に保ちつつ、内筒２３を前後に動かして凸レンズ２５を前後に動かすことにより、観察者の眼球Ｅ中の各部分を観察することができる。
【００３４】
さらに、本発明に係る眼球観察器としては、上記の眼球観察器１，１１，２１において、さらに他の凸レンズやフィルターを取り付けられたものとしても良い。すなわち、図１０に断面を示す眼球観察器３１は、円筒体３２，円環板３３，凸レンズ３４，他の円環板３５，他の凸レンズ３６及びフィルター３７を備えてなるものである。この眼球観察器３１を構成する円筒体３２，円環板３３及び凸レンズ３４は、上記の眼球観察器１を構成する円筒体２，円環板４及び凸レンズ５とそれぞれ同じ構成からなるものであることから、説明は省略する。また、円筒体３２の一端側中途部の開口内には、他の円環板３５が固定されている。この他の円環板３５は、厚紙により環状に作られたものであって、外径が約４センチメートル，内径は約２センチメートルの大きさとされている。この他の円環板３５は、外周縁は上記円筒体３２の内面と密接し、該円筒体３２の一端側からは、上記フィルター３７を経て、該他の円環板３５に形成されて上記他の凸レンズ３６が固定される開口（符号は省略する。）から入射する光線以外の外部の光は完全に遮蔽するものとなっている。また、他の凸レンズ３６は、上記他の凸レンズ３６の開口内に固定されており、この眼球観察器３１の一端側から入る光線を、上記凸レンズ３４に集光させるものである。また、上記フィルター３７は、この眼球観察器３１の円筒体３２内に入射する光線を拡散させ、均一化された光線とした上で上記他の凸レンズ３６及び凸レンズ３４に入射させるものであり、この眼球観察器３１の例では、すりガラスを用いている。
【００３５】
本発明に係る眼球観察器３１は、上記のような構成からなるものであるが、観察者は、この眼球観察器３１を上記眼球観察器１，１１，２１とほぼ同様な方法により自己の眼球を観察することができる。すなわち、先ず、観察者はこの眼球観察器３１を手にとり、上記円筒体３２の一端側を、近くに位置する図示しない電球等の発光体に向けて保持するとともに、図１０に示すように、該円筒体３２の他端側の凸レンズ５近傍に自己の眼球Ｅを位置させる。そして、上記凸レンズ３４を介して、フィルター３７から円筒体３２内に入射する光線を観察する。この場合にも、観察者の眼球Ｅ内には上記フィルター３７から発した光線が入射し、上記眼球観察器１，１１，２１の場合と同様に、該観察者は自己の眼球を観察することができる。なお、この眼球観察器３１では、円筒体３２内に入射する光を拡散するフィルター３７が取り付けられてなるとともに、該円筒体３２内に入射する光を凸レンズ３４に集光する他の凸レンズ３６が固定されてなることから、円筒体３２内に入射する光が弱い場合であっても十分に観察することができ、また、光に偏りがある場合にも、観察者の視界全体に偏り無く観察をすることができる。なお、特に上述の眼球観察器１，１１，２１，３１に示した例のように、発光体として電球を用いた場合には、該電球の発光箇所であるフィラメントを直接観察するものとなり、観察者の視界内の光の分布に偏りが出ることがあるが、このような場合であっても、上記のようにフィルターを介して観察するものとすることにより、より確実な観察をすることができるものとなる。また、上述した実施例に係る眼球観察器１，１１，２１，３１の何れも、観察者自身が手により眼球観察器をそれぞれ保持するものとしているが、ここには図示しない安定して卓上に載置することができる台状の部材に円筒体２，１２，２２，３２を固定することにより、観察者が眼球観察器１，１１，２１，３１を手で保持する必要を無くすものとしても良い。この場合には、観察者は自己の手によるぶれ等によって観察が安定しないといった事態を防ぐことができる。
【図面の簡単な説明】
【００３６】
【図１】本発明の第１の実施の形態に係る眼球観察器を一端側から観察した外観を示す斜視図である。
【図２】本発明の第１の実施の形態に係る眼球観察器を他端側から観察した外観を示す斜視図である。
【図３】本発明の第１の実施の形態に係る眼球観察器の構成を示す断面図である。
【図４】本発明の実施の形態に係る眼球観察器により観察される眼球内の断面を示す断面図である。
【図５】本発明の第１の実施の形態に係る眼球観察器の構成を示す断面図である。
【図６】本発明の実施の形態に係る眼球観察器により観察者が観察する眼球の断面を示す模式図である。
【図７】本発明の第２の実施の形態に係る眼球観察器を一端側から観察した外観を示す斜視図である。
【図８】本発明の第３の実施の形態に係る眼球観察器を一端側から観察した外観を示す斜視図である。
【図９】本発明の第３の実施の形態に係る眼球観察器を他端側から観察した外観を示す斜視図である。
【図１０】本発明の第４の実施の形態に係る眼球観察器の構成を示す断面図である。
【００３７】
１  眼球観察器
２  円筒体
３  円板
５  凸レンズ
６  ピンホール
１１  眼球観察器
１２  円筒体
１３  円板
１４  接眼筒
１５  電球
１６  ピンホール
２１  眼球観察器
２２  円筒体
２３  内筒
２５  凸レンズ
２６  電球
３１  眼球観察器
３２  円筒体
３４  凸レンズ
３６  他の凸レンズ
３７  フィルター
Ｅ  眼球
Ｅ１  眼底
【図１】
0004841904.tif 000002
【図２】
0004841904.tif 000003
【図３】
0004841904.tif 000004
【図４】
0004841904.tif 000005
【図５】
0004841904.tif 000006
【図６】
0004841904.tif 000007
【図７】
0004841904.tif 000008
【図８】
0004841904.tif 000009
【図９】
0004841904.tif 000010
【図１０】
0004841904.tif 000011